(57)【要約】【課題】表示装置において、ユーザがコンテンツの視聴予定の情報と、自装置の使用予定の情報とを同時に確認でき、ユーザが視聴計画を容易に管理できるようにする。【解決手段】視聴計画画面Ｆは、番組視聴予定、コンテンツ視聴予定、及び視聴不可予定に基づく視聴計画を時間軸に沿って表した画面である。視聴計画の登録画面は、視聴計画画面Ｆと、ＥＰＧ画面Ｅとを同時に表示する。視聴計画画面Ｆ内のＧ１、Ｇ２、Ｈ１は既に登録済みの予定である。ＥＰＧ画面Ｅ内のＴＶ番組の表示領域上にカーソルが位置した場合、ＴＶ受像機は、この表示領域に対応するＴＶ番組を認識し、そして、ユーザが選択キーを押下しながら、カーソルＣを視聴計画画面Ｆ内に移動させ（ドラッグさせ）、選択キーを放した時に、視聴計画画面Ｆ内におけるカーソルＣの位置に対応する日時を算出する。そして、ＴＶ受像機は算出された日時にＴＶ番組を視聴する旨の視聴予定の情報を登録する。【選択図】図６
2014116699.tif 000002
【特許請求の範囲】
【請求項１】
番組表から選択した番組を含むコンテンツの視聴予定の情報と、ユーザによる自装置の使用予定の情報とを含む視聴計画を記憶する記憶手段と、
前記記憶手段に記憶済みの視聴計画を時間軸に沿って表した画面である視聴計画画面を生成する視聴計画画面生成手段と、
前記視聴計画画面生成手段によって生成された前記視聴計画画面と電子番組表とを、同時に表示させるように制御する表示制御手段とを備える表示装置。
【請求項２】
前記記憶手段に記憶された前記視聴計画には、ユーザが番組を視聴しない予定の時間帯の情報がさらに含まれることを特徴とする請求項１に記載の表示装置。
【請求項３】
前記表示制御手段により前記視聴計画画面と電子番組表とを同時に表示させているときに、前記電子番組表内の番組を前記視聴計画画面内にドラッグさせるためのドラッグ操作手段と、
前記ドラッグ操作手段によって前記視聴計画画面内にドラッグされた後の番組の位置に対応する日時に、前記ドラッグされた番組を視聴する旨の視聴計画を前記記憶手段に記憶する視聴計画設定制御手段とをさらに備えることを特徴とする請求項１又は２に記載の表示装置。
【請求項４】
前記ドラッグ操作手段によってドラッグされた番組の前記視聴計画画面内の位置に対応する日時を算出する日時算出手段をさらに備え、
前記視聴計画設定制御手段が、前記日時算出手段によって算出された日時に、前記ドラッグされた番組を視聴する旨の視聴計画を前記記憶手段に記憶することを特徴とする請求項３に記載の表示装置。
【請求項５】
前記番組表から選択された番組の放送時間に基づいて、前記視聴計画画面内における視聴計画の初期位置を設定する初期位置設定制御手段をさらに備えることを特徴とする請求項１又は２に記載の表示装置。
【請求項６】
前記日時算出手段によって算出された日時に、他のユーザがコンテンツの視聴をする旨の視聴計画を、前記記憶手段が記憶していた場合、前記他のユーザに対して予約の許諾を促すメッセージを報知する報知手段をさらに備えることを特徴とする請求項４に記載の表示装置。
【請求項７】
前記表示制御手段は、前記視聴計画画面と、前記電子番組表のうち、ユーザにより選択されたチャンネルの番組表とを、同時に表示させるように制御することを特徴とする請求項１乃至６のいずれか一項に記載の表示装置。
【請求項８】
前記記憶手段に、録画済みコンテンツを視聴する旨の視聴計画が記憶されている場合であって、該録画済みコンテンツの視聴予定の日時が経過したときに、該録画済みコンテンツのデータを消去する消去手段をさらに備えることを特徴とする請求項１乃至７のいずれか一項に記載の表示装置。
【請求項９】
コンテンツの視聴予定の情報と、ユーザによる自装置の使用予定の情報とを含む視聴計画を記憶する記憶手段と、
前記記憶手段に記憶済みの視聴計画を時間軸に沿って表した画面である視聴計画画面を生成する視聴計画画面生成手段と、
前記視聴計画画面生成手段によって生成された前記視聴計画画面と、ユーザが視聴可能な録画済みコンテンツの一覧を示すコンテンツ一覧画面とを同時に表示させるように制御する表示制御手段と、
前記表示制御手段により前記視聴計画画面と前記コンテンツ一覧画面とを同時に表示させているときに、前記コンテンツ一覧画面の録画済みコンテンツを前記視聴計画画面内にドラッグさせるドラッグ操作手段と、
前記ドラッグ操作手段によって前記視聴計画画面内にドラッグされた後の録画済みコンテンツの位置に対応する日時に、前記ドラッグされた録画済みコンテンツを視聴する旨の視聴計画を前記記憶手段に記憶する視聴計画設定制御手段とを備える表示装置。
【発明の詳細な説明】
【技術分野】
【０００１】
本発明は、番組表を表示可能な表示装置に関する。
【背景技術】
【０００２】
従来から、テレビジョン（以下、ＴＶという）番組の映像の他に、ＴＶゲームやＶＯＤ（Ｖｉｄｅｏ  Ｏｎ  Ｄｅｍａｎｄ）等の外部入力された映像を表示可能なＴＶ受像機が知られている。このＴＶ受像機では、例えば、ユーザがＴＶゲームをしている間、ＴＶ受像機にはＴＶゲームの映像が表示される。すなわち、ユーザは、ＴＶゲームをしている間、ＴＶ番組を視聴することができない。
【先行技術文献】
【特許文献】
【０００３】
【特許文献１】特開２００９−５５０９５号公報
【特許文献２】特開２００３−１８９２１８号公報
【特許文献３】特開２０１２−１１９９４２号公報
【特許文献４】特開２０１０−２１２８４７号公報
【特許文献５】特開２００７−１２１０２号公報
【発明の概要】
【発明が解決しようとする課題】
【０００４】
ところで、１９：００から放送が開始される番組を視聴予定であるにも係わらず、ユーザが１８：００から２０：００までＴＶゲームで遊ぶ場合、ユーザは視聴予定の番組を見逃してしまう。また、ユーザは、１７：００から２０：００まで外出予定であるにも係わらず、１８：００から放送が開始されるＴＶ番組の視聴予定を登録する場合、視聴予定のＴＶ番組を見逃してしまう。このように、従来のＴＶ受像機では、ユーザによるコンテンツの視聴予定の情報と、ユーザによる自装置（ＴＶ受像機）の使用予定の情報とを同時に管理できないという問題がある。
【０００５】
これに対して、特許文献１乃至５には、録画予約された番組や視聴予約された番組の情報を一画面で表示させることができるＴＶ受像機が開示されている。しかしながら、この種のＴＶ受像機では、ユーザによるＴＶ受像機の使用予定の情報を管理できないため、上記問題を解決できない。
【０００６】
本発明は、上述した問題点を解決するためになされたものであり、ユーザがコンテンツの視聴予定の情報と、ユーザによる自装置の使用予定の情報とを同時に確認でき、視聴計画を容易に管理できる表示装置を提供することを目的とする。
【課題を解決するための手段】
【０００７】
上記目的を達成するために本発明の一態様の表示装置は、番組表から選択した番組を含むコンテンツの視聴予定の情報と、ユーザによる自装置の使用予定の情報とを含む視聴計画を記憶する記憶手段と、前記記憶手段に記憶済みの視聴計画を時間軸に沿って表した画面である視聴計画画面を生成する視聴計画画面生成手段と、前記視聴計画画面生成手段によって生成された前記視聴計画画面と電子番組表とを、同時に表示させるように制御する表示制御手段とを備えるものである。
【０００８】
上記構成においては、記憶手段が、番組表から選択した番組を含むコンテンツの視聴予定の情報と、ユーザによる自装置の使用予定の情報とを含む視聴計画とを記憶する。そして、視聴計画画面生成手段が、記憶手段に記憶済みの視聴計画を時間軸に沿って表した画面である視聴計画画面を生成する。そして、表示制御手段が、視聴計画画面生成手段によって生成された視聴計画画面と電子番組表とを同時に表示させるように制御する。そのため、ユーザは、視聴計画画面を見るだけで、コンテンツの視聴予定の情報と、ユーザによる自装置の使用予定の情報との両方を容易に確認できる。従って、ユーザは、視聴計画画面を見ることによって、番組を含むコンテンツの視聴予定の情報と、ユーザによる自装置の使用予定の情報とを確認しながら、電子番組表を用いて番組の視聴予定の登録を行うことができるので、自装置の使用予定の時間帯（例えば、ＴＶゲームで使用する時間帯）に誤って番組の視聴をするという視聴予定を登録してしまう誤操作を防ぐことができるため、視聴計画を容易に管理できる。
【０００９】
前記記憶手段に記憶された前記視聴計画には、ユーザが番組を視聴しない予定の時間帯の情報がさらに含まれることが望ましい。
【００１０】
上記構成においては、記憶手段に記憶された視聴計画には、ユーザが番組を視聴しない予定の時間帯の情報がさらに含まれる。そのため、ユーザは、視聴計画画面を見るだけで、コンテンツの視聴予定の情報と、ユーザによる自装置の使用予定の情報と、ユーザが番組を視聴しない予定の時間帯の情報とを容易に確認できる。従って、ユーザは、視聴計画画面を見ることによって、コンテンツの視聴予定の情報と、ユーザが番組を視聴しない予定の時間帯の情報とを確認しながら、電子番組表を用いて番組の視聴予定の登録を行うことができるので、ユーザが番組を視聴しない時間帯に誤って番組の視聴をするという視聴予定を登録してしまう誤操作を防ぐことができるため、視聴計画をさらに容易に管理できる。
【００１１】
前記表示装置は、前記表示制御手段により前記視聴計画画面と電子番組表とを同時に表示させているときに、前記電子番組表内の番組を前記視聴計画画面内にドラッグさせるためのドラッグ操作手段と、前記ドラッグ操作手段によって前記視聴計画画面内にドラッグされた後の番組の位置に対応する日時に、前記ドラッグされた番組を視聴する旨の視聴計画を前記記憶手段に記憶する視聴計画設定制御手段とをさらに備えることが望ましい。
【００１２】
上記構成においては、視聴計画画面と電子番組表とを同時に表示させているときに、ドラッグ操作手段によって、電子番組表内の番組が視聴計画画面内にドラッグされると、視聴計画設定制御手段が、ドラッグ操作手段によって視聴計画画面内にドラッグされた後の番組の位置に対応する日時に、ドラッグされた番組を視聴する旨の視聴計画を記憶手段に記憶する。そのため、ユーザは、ドラッグ操作手段によって、電子番組表内の番組を視聴計画画面内にドラッグするだけで、電子番組表内の番組について、所望の日時で視聴する旨の視聴計画を記憶させることができるので、ユーザにとって操作の手間を軽減できる。また、ユーザは、視聴計画画面を見ながら、電子番組表内の番組について視聴計画を記憶させることができるため、自装置の使用予定の時間帯（例えば、ＴＶゲームで使用する時間帯）に誤って番組の視聴をするという視聴予定を登録してしまうという誤操作を防ぐことができ、視聴計画を容易に管理できる。
【００１３】
前記表示装置は、前記ドラッグ操作手段によってドラッグされた番組の前記視聴計画画面内の位置に対応する日時を算出する日時算出手段をさらに備え、前記視聴計画設定制御手段が、前記日時算出手段によって算出された日時に、前記ドラッグされた番組を視聴する旨の視聴計画を前記記憶手段に記憶することが望ましい。
【００１４】
上記構成においては、日時算出手段が、ドラッグ操作手段によってドラッグされた番組の視聴計画画面内の位置に対応する日時を算出し、視聴計画設定制御手段が、日時算出手段によって算出された日時に、ドラッグされた番組を視聴する旨の視聴計画を記憶手段に記憶する。そのため、ユーザは、ドラッグ操作手段によって、電子番組表内の番組を視聴計画画面内にドラッグするだけで、ドラッグされた番組の視聴計画画面内の位置に対応する日時に番組を視聴する旨の視聴計画を記憶させることができるので、ユーザにとって操作の手間を軽減できる。
【００１５】
前記表示装置は、前記番組表から選択された番組の放送時間に基づいて、前記視聴計画画面内における視聴計画の初期位置を設定する初期位置設定制御手段をさらに備えることが望ましい。
【００１６】
上記構成においては、初期位置設定制御手段が、番組表から選択された番組の放送時間に基づいて、視聴計画画面内における視聴計画の初期位置を設定する。そのため、番組の放送時間に、この番組を視聴する旨の視聴計画を記憶させる場合に、ユーザは、その番組の視聴計画の位置として放送時間を設定する操作を行う必要がなくなるので、この視聴計画を容易に記憶させることができ、ユーザにとって操作の手間を軽減できる。
【００１７】
前記表示装置は、前記日時算出手段によって算出された日時に、他のユーザがコンテンツの視聴をする旨の視聴計画を、前記記憶手段が記憶していた場合、前記他のユーザに対して予約の許諾を促すメッセージを報知する報知手段をさらに備えることが望ましい。
【００１８】
上記構成においては、日時算出手段によって算出された日時に、他のユーザがコンテンツの視聴をする旨の視聴計画を、記憶手段が記憶していた場合、報知手段は、他のユーザに対して予約の許諾を促すメッセージを報知する。そのため、ユーザは、他のユーザに許諾を求める手間を軽減できるので、利便性が向上する。
【００１９】
前記表示制御手段は、前記視聴計画画面と、前記電子番組表のうち、ユーザにより選択されたチャンネルの番組表とを、同時に表示させるように制御することが望ましい。
【００２０】
上記構成においては、表示制御手段は、視聴計画画面と、電子番組表のうち、ユーザにより選択されたチャンネルの番組表とを、同時に表示させるように制御する。そのため、ユーザは、視聴計画画面と、ユーザによって選択されたチャンネルの番組表とを同時に容易に確認できる。
【００２１】
前記表示装置は、前記記憶手段に、録画済みコンテンツを視聴する旨の視聴計画が記憶されている場合であって、該録画済みコンテンツの視聴予定の日時が経過したときに、該録画済みコンテンツのデータを消去する消去手段をさらに備えることが望ましい。
【００２２】
上記構成においては、記憶手段に録画済みコンテンツを視聴する旨の視聴計画が記憶されている場合であって、録画済みコンテンツの視聴予定の日時が経過したときに、消去手段が、この録画済みコンテンツのデータを消去する。そのため、ユーザは、視聴予定の日時が経過した録画済みコンテンツのデータを消去する手間を軽減できるので、利便性が向上する。
【００２３】
前記表示装置は、コンテンツの視聴予定の情報と、ユーザによる自装置の使用予定の情報とを含む視聴計画を記憶する記憶手段と、前記記憶手段に記憶済みの視聴計画を時間軸に沿って表した画面である視聴計画画面を生成する視聴計画画面生成手段と、前記視聴計画画面生成手段によって生成された前記視聴計画画面と、ユーザが視聴可能な録画済みコンテンツの一覧を示すコンテンツ一覧画面とを同時に表示させるように制御する表示制御手段と、前記表示制御手段により前記視聴計画画面と前記コンテンツ一覧画面とを同時に表示させているときに、前記コンテンツ一覧画面の録画済みコンテンツを前記視聴計画画面内にドラッグさせるドラッグ操作手段と、前記ドラッグ操作手段によって前記視聴計画画面内にドラッグされた後の録画済みコンテンツの位置に対応する日時に、前記ドラッグされた録画済みコンテンツを視聴する旨の視聴計画を前記記憶手段に記憶する視聴計画設定制御手段とを備えることが望ましい。
【００２４】
上記構成においては、記憶手段が、コンテンツの視聴予定の情報と、ユーザによる自装置の使用予定の情報とを含む視聴計画を記憶し、視聴計画画面生成手段が、記憶手段に記憶済みの視聴計画を時間軸に沿って表した画面である視聴計画画面を生成する。そして、表示制御手段が、視聴計画画面と、ユーザが視聴可能な録画済みコンテンツの一覧を示すコンテンツ一覧画面とを同時に表示させるように制御する。そして、表示制御手段により視聴計画画面とコンテンツ一覧画面とを同時に表示させているときに、ドラッグ操作手段を用いて、ユーザにより、コンテンツ一覧画面の録画済みコンテンツが視聴計画画面内にドラッグされると、視聴計画設定制御手段が、ドラッグ操作手段によって視聴計画画面内にドラッグされた後の録画済みコンテンツの位置に対応する日時に、ドラッグされた録画済みコンテンツを視聴する旨の視聴計画を前記記憶手段に記憶する。そのため、ユーザは、ドラッグ操作手段によって、コンテンツ一覧画面の録画済みコンテンツを視聴計画画面内にドラッグするだけで、録画済みコンテンツについて、所望の日時で視聴する旨の視聴計画を記憶させることができるので、ユーザにとって操作の手間を軽減できる。また、ユーザは、視聴計画画面を見ながら、コンテンツ一覧画面の録画済みコンテンツについて視聴計画を記憶させることができるため、ユーザが自装置を使用予定の時間帯（例えば、ＴＶゲームで使用する時間帯）に誤って録画済みコンテンツの視聴をするという視聴予定を登録してしまうという誤操作を防ぐことができ、視聴計画を容易に管理することができる。
【発明の効果】
【００２５】
本発明によれば、ユーザは、視聴計画画面を見るだけで、番組を含むコンテンツの視聴予定の情報と、ユーザによる自装置の使用予定の情報との両方を容易に確認できる。従って、ユーザは、視聴計画画面を見ることによって、コンテンツの視聴予定の情報と、ユーザによる自装置の使用予定の情報とを確認しながら、電子番組表を用いて番組の視聴予定の登録を行うことができるので、自装置の使用予定の時間帯（例えば、ＴＶゲームで使用する時間帯）に誤って番組の視聴をするという視聴予定を登録してしまう誤操作を防ぐことができるため、視聴計画を容易に管理できる。
【図面の簡単な説明】
【００２６】
【図１】本発明の一実施形態に係るＴＶ受像機の電気的ブロック図。
【図２】上記ＴＶ受像機のメモリの内部構成を示すブロック図。
【図３】上記ＴＶ受像機の制御部の内部構成を示すブロック図。
【図４】上記ＴＶ受像機のディスプレイに表示されるスケジュール登録メニュー画面の一例を示す説明図。
【図５】上記ＴＶ受像機のディスプレイに表示されるＥＰＧ画面の一例を示す説明図。
【図６】上記ＴＶ受像機のディスプレイに表示される視聴計画の登録画面の一例を示す説明図。
【図７】上記ＴＶ受像機のディスプレイに表示される録画済みコンテンツの一例を示す説明図。
【図８】上記ＴＶ受像機のディスプレイに表示される視聴計画の登録画面の別の一例を示す説明図。
【図９】上記ＴＶ受像機と携帯電話との通信を示す説明図。
【図１０】上記携帯電話に送信されるメールを示す説明図。
【発明を実施するための形態】
【００２７】
以下、本発明の一実施形態に係るテレビジョン受像機について、図１乃至図３を参照して説明する。図１は、テレビジョン（以下、ＴＶ）受信機（表示装置）１の電気的ブロック構成を示す。図２は、メモリ（記憶手段）１５の内部構成を示し、図３は制御部１０の内部構成を示す。
【００２８】
ＴＶ受像機１は、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）に対応した機器であり、ＨＤＭＩケーブル（図示せず）を介して外部機器から供給された映像を表示可能である。外部機器は、例えば、コンテンツの映像を供給するブルーレイディスク（以下、ＢＤという）レコーダや、ＴＶゲームの映像を供給するゲーム機である。また、ＴＶ受像機１は、インターネットに接続可能であり、ＶＯＤ（Ｖｉｄｅｏ  Ｏｎ  Ｄｅｍａｎｄ）サーバから供給されたコンテンツの映像も表示可能である。また、ＴＶ受像機１は、ユーザによるＴＶ番組を含むコンテンツの視聴予定の情報と、ユーザがＴＶ番組を視聴しない予定の時間帯の情報と、ユーザによる自装置の使用予定の情報とを含む視聴計画を時間軸に沿って表した視聴計画画面も表示可能である。
【００２９】
ＴＶ受像機１は、図１に示すように、アンテナ（図示せず）に接続されたチューナ部１１と、映像を表示するディスプレイ１２と、音声を出力するスピーカ１３と、ユーザによって操作される操作部（ドラッグ操作手段）１４とを備える。また、ＴＶ受像機１は、メモリ１５と、チューナ部１１によって受信されたＴＶ番組を録画するハードディスク（以下、ＨＤＤという）１６と、インターネットに接続するためのネットワークインタフェース１７と、第１ＨＤＭＩ通信部１８と、第２ＨＤＭＩ通信部１９と、制御部（表示制御手段、視聴計画設定制御手段、日時算出手段、初期位置設定制御手段、報知手段、消去手段）１０とをさらに備える。
【００３０】
チューナ部１１は、放送局から配信される各チャンネルのデジタル放送信号を受信して、このデジタル放送信号に対して復調処理等を行い、復調の結果得られたＴＶ番組の映像信号及び音声信号と、ＥＰＧ（電子番組表）のデータとを制御部１０に出力する。
【００３１】
ディスプレイ１２は、チューナ部１１によって受信されたＴＶ番組の映像や、外部機器から供給されたコンテンツの映像や、視聴計画画面等を表示する。スピーカ１３は、チューナ部１１によって受信されたＴＶ番組の音声や、外部機器から供給されたコンテンツ等の音声を出力する。
【００３２】
操作部１４は、ユーザによって操作される十字キー１４ａと選択キー１４ｂとを含むリモコン装置等で構成される。十字キー１４ａは、ディスプレイ１２に表示されるカーソルの移動を指示するためのものである。選択キー１４ｂは、各種項目の選択を指示するためのものである。ユーザは、十字キー１４ａ及び選択キー１４ｂを操作することにより、ＴＶ番組を含むコンテンツの視聴予定の登録の指示等を行う。
【００３３】
メモリ１５は、図２に示すように、ＥＰＧ１５ａと、録画予約番組１５ｂと、番組視聴予定１５ｃと、コンテンツ視聴予定１５ｄと、視聴不可予定１５ｅと、優先順位情報１５ｆとを含む各種データを記憶している。
【００３４】
録画予約番組１５ｂは、ユーザによって入力された録画予約番組のチャンネル及び放送時間等の情報を記憶する。番組視聴予定１５ｃは、ユーザによって入力されたＴＶ番組の視聴予定の情報を記憶する。具体的には例えば、番組視聴予定１５ｃは、Ａさんが５月１７日のＰＭ６：００〜ＰＭ７：００にＡチャンネルのＴＶ番組を視聴するという情報を記憶している。
【００３５】
コンテンツ視聴予定１５ｄは、ＨＤＤ１６に録画されたコンテンツの視聴予定や、外部機器から供給されるコンテンツの視聴予定や、ＶＯＤサーバから供給されるコンテンツの視聴予定や、ＴＶゲームから供給されるコンテンツ映像の視聴予定等を記憶する。具体的には例えば、コンテンツ視聴予定１５ｄは、Ｂさんが５月２０日のＰＭ６：００〜ＰＭ８：００に外部機器に録画済みのコンテンツを視聴するという情報を記憶している。
【００３６】
視聴不可予定１５ｅは、ユーザがＴＶ番組を視聴しない予定の時間帯の情報を記憶する。具体的には例えば、ユーザが外出するためにＴＶ番組を視聴しない時間帯を記憶する。また、視聴不可予定１５ｅは、ＴＶ受像機１を強制電源ＯＦＦする時間の情報や、節電時間帯の情報や、ユーザがＴＶ番組を視聴しない時間帯の情報も記憶する。優先順位情報１５ｆは、ユーザ間の優先順位や、ユーザによって入力されたＴＶ番組やコンテンツの優先順位を記憶する。
【００３７】
ネットワークインタフェース１７は、インタ−ネットに接続され、メールの送受信やコンテンツのデータの送受信を行うものである。
【００３８】
第１ＨＤＭＩ通信部１８及び第２ＨＤＭＩ通信部１９は、それぞれＨＤＭＩレシーバとして機能し、ＢＤレコーダ（図示せず）等の外部機器から供給された映像ストリームを受信して、制御部１０に出力する。
【００３９】
制御部１０は、図３に示すように、映像出力部１０ａと、録画部１０ｂと、ＥＰＧ取得部１０ｃと、メール送受信部１０ｄと、視聴計画画面生成部（視聴計画画面生成手段）１０ｅとを有し、ユーザによる操作部１４の操作に基づいて、ＴＶ受像機１の各部の制御を行う。
【００４０】
映像出力部１０ａは、チューナ部１１を用いて受信したＴＶ番組の映像をディスプレイ１２に表示させると共に、このＴＶ番組の音声をスピーカ１３に出力させる。また、映像出力部１０ａは、ＨＤＤ１６に録画されたＴＶ番組を再生して、再生したＴＶ番組の映像をディスプレイ１２に表示させると共に、このＴＶ番組の音声をスピーカ１３に出力させる。また、映像出力部１０ａは、第１ＨＤＭＩ通信部１８、第２ＨＤＭＩ通信部１９、及びネットワークインタフェース１７から受信したコンテンツの映像ストリームの映像をディスプレイ１２に表示させると共に、音声ストリームの音声をスピーカ１３に出力させる。また、映像出力部１０ａは、視聴計画画面、ＥＰＧ、及びコンテンツの一覧画面をディスプレイ１２に表示させる。
【００４１】
録画部１０ｂは、ユーザによるＴＶ番組の録画の指示や、録画予約番組１５ｂに入力された情報に基づいて、チューナ部１１を用いて受信したＴＶ番組をＨＤＤ１６に録画する。
【００４２】
ＥＰＧ取得部１０ｃは、チューナ部１１を用いて、放送局からＥＰＧ１５ａのデータを取得し、メモリ１５に記憶させる。メール送受信部１０ｄは、ネットワークインタフェース１７を用いて、ユーザが所有する携帯電話等にメールを送信する処理や、ユーザが所有する携帯電話等から送信されたメールを受信する処理を行う。
【００４３】
視聴計画画面生成部１０ｅは、メモリ１５に記憶された番組視聴予定１５ｃ、コンテンツ視聴予定１５ｄ、及び視聴不可予定１５ｅに基づく視聴計画を時間軸に沿って表した画面である視聴計画画面を生成する。
【００４４】
次に、ＴＶ受像機１におけるスケジュール登録メニュー画面について、図４を参照して説明する。スケジュール登録メニュー画面は、ＴＶ番組の視聴予定等の視聴計画を登録するための画面である。図４に示すように、スケジュール登録メニュー画面には、ＴＶ放送、入力１、入力２、ＶＯＤ、録画番組、強制電源ＯＦＦ、外出、節電時間などの各種メニューが表示されている。
【００４５】
ユーザが所望のメニューを選択すると、選択された項目の予定を登録する画面が表示される。具体的には例えば、ユーザがＴＶ放送を選択すると、ＴＶ番組の視聴予定の情報を登録する画面が表示される。また、強制電源ＯＦＦを選択すると、ＴＶ受像機１を強制電源ＯＦＦする予定を登録する画面が表示される。また、外出を選択すると、ユーザが外出する時間の予定を登録する画面が表示される。
【００４６】
次に、ＴＶ番組の視聴計画の登録処理について、図５及び図６を参照して説明する。ここでは、上記図４のスケジュール登録メニュー画面でＴＶ放送が選択され、図５に示すＥＰＧ画面Ｅがディスプレイ１２に表示されているものとする。
【００４７】
制御部１０は、ユーザによって十字キー１４ａが操作され、ＥＰＧ画面Ｅ内のＴＶ番組Ｔ１の表示領域上にカーソルＣが位置すると、ポップアップ画面Ｐ１を表示させる。このポップアップ画面Ｐ１には、ＴＶ番組Ｔ１に対する視聴予約、録画予約、及び視聴計画の登録の指示を選択させるメニューが表示される。制御部１０は、ユーザによってポップアップ画面Ｐ１の中から視聴計画が選択されると、図６に示す視聴計画の登録画面をディスプレイ１２に表示させる。
【００４８】
視聴計画の登録画面は、図６に示すように、視聴計画画面Ｆと、ＥＰＧ１５ａの内容を表示するＥＰＧ画面Ｅとを同時に表示する画面である。図６におけるＥＰＧ画面Ｅは、上記図５で選択されたＴＶ番組Ｔ１のチャンネル列（ＣＨ２）のみを表示している。すなわち、図６は、視聴計画画面Ｆと、上記図５に示したＥＰＧ画面Ｅのうち、ユーザによって選択されたチャンネル（ここでは、ＣＨ２）の番組表とを、同時に表示する。視聴計画画面Ｆ内のＧ１、Ｇ２、Ｈ１は既に登録済みの予定である。具体的には、Ｇ１はＴＶゲームの視聴予定（５／１７  ＰＭ５：００〜ＰＭ６：３０）を示し、Ｇ２はＴＶ番組の視聴予定（５／１９  ＰＭ７：００〜ＰＭ８：００）を示し、Ｈ１はユーザの外出予定（５／２４  ＰＭ５：３０〜ＰＭ７：００）を示す。
【００４９】
制御部１０は、ユーザによって十字キー１４ａが操作され、ＥＰＧ画面Ｅ内のＴＶ番組の表示領域上にカーソルＣが位置する場合、カーソルＣが位置する表示領域に対応するＴＶ番組を認識する。ここでは、ＴＶ番組Ｔ１の表示領域上にカーソルＣが位置しており、制御部１０がＴＶ番組Ｔ１を認識したものとする。
【００５０】
そして、制御部１０は、ユーザが選択キー１４ｂを押下しながら、十字キー１４ａを操作して、カーソルＣを視聴計画画面Ｆ内に移動させると、ＴＶ番組Ｔ１の表示画像と同一の表示画像ＴＭ１をカーソルＣの移動に併せて移動させる。すなわち、ユーザは、操作部１４を操作して、ＥＰＧ画面Ｅ内のＴＶ番組Ｔ１を、視聴計画画面Ｆ内にドラッグする。そして、制御部１０は、ユーザが選択キー１４ｂを放した時（ドラッグした時）に、視聴計画画面Ｆ内におけるカーソルＣの位置に対応する日時を算出する。ここでは、ユーザが、カーソルＣを視聴計画画面Ｆ内の位置Ｑ１まで移動させて、選択キー１４ｂを放したとする。制御部１０は、位置Ｑ１に対応する「５／２１  ＰＭ５：３０」の日時を算出する。そして、制御部１０は、ＴＶ番組Ｔ１が９０分間の番組であるため、算出された日時（５／２１  ＰＭ５：３０）に、ＴＶ番組Ｔ１の長さ（９０分）を合算した日時（５／２１  ＰＭ５：３０〜ＰＭ７：００）を算出する。そして、制御部１０は、「５／２１  ＰＭ５：３０〜ＰＭ７：００」に、ＴＶ番組Ｔ１を視聴する旨の視聴予定の情報をメモリ１５の番組視聴予定１５ｃに記憶（登録）する。
【００５１】
次に、コンテンツの視聴計画の登録処理について、図７及び図８を参照して説明する。図７は、ＨＤＤ１６に録画されたコンテンツと、ＶＯＤサーバから供給可能なコンテンツと、ＢＤレコーダ（図示せず）から供給される録画されたコンテンツとを含む録画済みコンテンツ（以下、コンテンツという）の一覧を示すコンテンツ一覧画面Ｊである。
【００５２】
制御部１０は、ユーザによって十字キー１４ａが操作され、コンテンツ一覧画面Ｊ内のコンテンツＲ１の表示領域上にカーソルＣが位置すると、ポップアップ画面Ｐ２を表示する。このポップアップ画面Ｐ２には、コンテンツＲ１に対する再生、及び視聴計画の登録の指示を選択させるメニューが表示される。制御部１０は、ユーザによってポップアップ画面Ｐ２の中から視聴計画が選択されると、図８に示す視聴計画の登録画面をディスプレイ１２に表示させる。
【００５３】
視聴計画の登録画面は、図８に示すように、視聴計画画面Ｆと、コンテンツ一覧画面Ｊとを同時に表示させる画面である。視聴計画画面Ｆ内のＧ１、Ｇ２、Ｈ１は、上記図６で説明した内容と同様であり、その説明を省略する。
【００５４】
制御部１０は、ユーザによって十字キー１４ａが操作され、コンテンツ一覧画面Ｊ内のコンテンツの表示領域上にカーソルＣが位置する場合、カーソルＣが位置する表示領域に対応するコンテンツを認識する。ここでは、コンテンツＲ１の表示領域上にカーソルＣが位置しており、制御部１０がコンテンツＲ１を認識するものとする。
【００５５】
そして、制御部１０は、ユーザが選択キー１４ｂを押下しながら、十字キー１４ａを操作して、カーソルＣを視聴計画画面Ｆ内に移動させると、コンテンツＲ１の表示画像と同一の表示画像ＲＭ１をカーソルＣの移動に併せて移動させる。すなわち、ユーザは、操作部１４を操作して、コンテンツ一覧画面Ｊ内のコンテンツＲ１を、視聴計画画面Ｆ内にドラッグする。そして、制御部１０は、ユーザが選択キー１４ｂを放した時（ドラッグした時）に、視聴計画画面Ｆ内におけるカーソルＣの位置に対応する日時を算出する。ここでは、ユーザが、カーソルＣを視聴計画画面Ｆ内の位置Ｑ２まで移動させて、選択キー１４ｂを放したとする。制御部１０は、位置Ｑ２に対応する「５／２１  ＰＭ５：３０」の日時を算出する。そして、制御部１０は、コンテンツＲ１が１２０分の番組であるため、算出された日時（５／２１  ＰＭ５：３０）に、コンテンツの長さ（１２０分）を合算した日時（５／２１  ＰＭ５：３０〜ＰＭ７：３０）を算出する。そして、制御部１０は、「５／２１  ＰＭ５：３０〜ＰＭ７：３０」に、コンテンツＲ１を視聴する旨の視聴予定の情報をメモリ１５のコンテンツ視聴予定１５ｄに記憶（登録）する。
【００５６】
次に、他のユーザが既に視聴予定を登録している日時に、ＴＶ番組の視聴をするという視聴予定を登録する場合の処理について、図９及び図１０を参照して説明する。
【００５７】
ここでは、上記図６に示したように、ユーザＡがカーソルＣを移動させることによって、ＴＶ番組の視聴予定を登録する場合において、選択キー１４ｂを放した時のカーソルＣの位置に対応する日時に、他のユーザ（以下、ユーザＢという）が既にＴＶ番組の視聴をするという視聴予定を登録しているものとする。その場合、図９に示すように、ＴＶ受像機１の制御部１０は、ユーザＢの所有する携帯電話３０にメールを送信する。
【００５８】
携帯電話３０に送信されるメールは、図１０に示すように、視聴予定の許諾を促すメッセージ（「ＡさんからＢさんへの許可のお願い」）と、ユーザＢが視聴予定しているＴＶ番組の視聴予定の時間帯（１８：００〜２０：００）と、ユーザＢが視聴予定しているＴＶ番組のタイトル（ドラマＡＡＡ）と、許諾ボタンと、拒否ボタンとを含むものである。
【００５９】
ユーザＢによって許諾ボタンが選択されると、携帯電話３０からＴＶ受像機１に許諾する旨が通知される。ＴＶ受像機１の制御部１０は、この許諾する旨を受信すると、ユーザＡによるＴＶ番組の視聴予定を登録し、ユーザＢによって視聴予定されたＴＶ番組の視聴時間を変更させる。
【００６０】
一方、ユーザＢによって拒否ボタンが選択されると、携帯電話３０からＴＶ受像機１に拒否する旨が通知される。ＴＶ受像機１の制御部１０は、この拒否する旨を受信すると、ユーザＡによるＴＶ番組の視聴予定を登録しない。
【００６１】
なお、制御部１０は、優先順位情報１５ｆを参照して、ユーザＡとユーザＢの優先順位を比較し、ユーザＡの方がユーザＢよりも優先順位が高い場合、ユーザＢの許諾を得ることなく、ユーザＢの視聴予定の時間を変更してもよい。また、優先順位は、ＴＶ番組を含むコンテンツ毎に設定してもよい。その場合、ユーザＡが視聴予定しようとしているＴＶ番組と、ユーザＢが視聴予定しているＴＶ番組との優先順位を比較して、ユーザＡが視聴予定しようとしているＴＶ番組の方が優先順位が高い場合、ユーザＢの許諾を得ることなく、ユーザＢの視聴予定の視聴時間を変更してもよい。
【００６２】
上述したように、本実施形態に係るＴＶ受像機１によれば、メモリ１５が、番組視聴予定１５ｃ、コンテンツ視聴予定１５ｄ、及び視聴不可予定１５ｅを含む視聴計画を記憶する。そして、視聴計画画面生成部１０ｅが、メモリ１５に記憶済みの視聴計画を時間軸に沿って表した画面である視聴計画画面を生成する。そして、制御部１０が、視聴計画画面生成部１０ｅによって生成された視聴計画画面とＥＰＧ画面とをディスプレイ１２に同時に表示させるように制御する。そのため、ユーザは、視聴計画画面を見るだけで、ＴＶ番組を含むコンテンツの視聴予定の情報と、ユーザによる自装置１の使用予定の情報との両方を容易に確認できる。従って、ユーザは、視聴計画画面を見ることによって、ＴＶ番組を含むコンテンツの視聴予定の情報と、ユーザによる自装置１の使用予定の情報とを確認しながら、ＥＰＧを用いてＴＶ番組の視聴予定の登録を行うことができるので、自装置１の使用予定の時間帯（例えば、ＴＶゲームで使用する時間帯）に誤ってＴＶ番組の視聴をするという視聴予定を登録してしまう誤操作を防ぐことができるため、視聴計画を容易に管理できる。
【００６３】
また、本実施形態に係るＴＶ受像機１によれば、メモリ１５に記憶された視聴計画には、視聴不可予定１５ｅが含まれる。そのため、ユーザは、視聴計画画面を見るだけで、ＴＶ番組を含むコンテンツの視聴予定の情報と、ユーザがＴＶ番組を視聴しない予定の時間帯の情報とを容易に確認できる。従って、ユーザは、視聴計画画面を見ることによって、コンテンツの視聴予定の情報と、ユーザがＴＶ番組を視聴しない予定の時間帯の情報とを確認しながら、ＥＰＧを用いてＴＶ番組の視聴予定の登録を行うことができるので、ＴＶ番組を視聴しない時間帯に誤ってＴＶ番組の視聴をするという視聴予定を登録してしまう誤操作を防ぐことができるため、視聴計画をさらに容易に管理できる。
【００６４】
また、本実施形態に係るＴＶ受像機１によれば、視聴計画画面とＥＰＧとをディスプレイ１２に同時に表示させているときに、ユーザによる操作部１４の操作によって、ＥＰＧ内のＴＶ番組が視聴計画画面内にドラッグされると、制御部１０ｅが、操作部１４によって視聴計画画面内にドラッグされた後のＴＶ番組の位置に対応する日時に、ドラッグされたＴＶ番組を視聴する旨の視聴計画をメモリ１５に記憶する。そのため、ユーザは、操作部１４によって、ＥＰＧ内のＴＶ番組を視聴計画画面内にドラッグするだけで、ＥＰＧ内のＴＶ番組について、所望の日時で視聴する旨の視聴計画をメモリ１５に記憶させることができるので、ユーザにとって操作の手間を軽減できる。また、ユーザは、視聴計画画面を見ながら、ＥＰＧ内のＴＶ番組について視聴計画を記憶させることができるため、自装置１の使用予定の時間帯（例えば、ＴＶゲームで使用する時間帯）に誤って番組の視聴をするという視聴予定を登録してしまうという誤操作を防ぐことができ、視聴計画を容易に管理できる。
【００６５】
また、本実施形態に係るＴＶ受像機１によれば、制御部１０が、ユーザによる操作部１４の操作によってドラッグされたＴＶ番組の視聴計画画面内の位置に対応する日時を算出し、算出した日時に、ドラッグされたＴＶ番組を視聴する旨の視聴計画をメモリ１５に記憶する。そのため、ユーザは、操作部１４を操作することによって、ＥＰＧ内のＴＶ番組を視聴計画画面内にドラッグするだけで、ドラッグされたＴＶ番組の視聴計画画面内の位置に対応する日時に番組を視聴する旨の視聴計画をメモリ１４に記憶させることができるので、ユーザにとって操作の手間を軽減できる。
【００６６】
また、本実施形態に係るＴＶ受像機１によれば、制御部１０は、視聴計画画面内にドラッグされた位置に対応する日時にコンテンツの視聴予定を登録しようとしたときに、その日時に、他のユーザがコンテンツの視聴をする旨の視聴計画（視聴予定）をメモリ１５の番組視聴予定１５ｃ又はコンテンツ視聴予定１５ｄが記憶していた場合に、他のユーザの所有する携帯電話に対して予約の許諾を促すメッセージを含むメールを送信する。そのため、ユーザは、他のユーザに許諾を求める手間が軽減できるので、利便性が向上する。
【００６７】
また、本実施形態に係るＴＶ受像機１によれば、制御部１０が、視聴計画画面生成部１０ｅによって生成された視聴計画画面とコンテンツ一覧画面とをディスプレイ１２に同時に表示させるように制御する。そして、制御部１０により視聴計画画面とコンテンツ一覧画面とをディスプレイ１２に同時に表示させているときに、ユーザが操作部１４を操作して、コンテンツ一覧画面の録画済みコンテンツを視聴計画画面内にドラッグさせると、制御部１０が、操作部１４によって視聴計画画面内にドラッグされた後の録画済みコンテンツの位置に対応する日時に、ドラッグされた録画済みコンテンツを視聴する旨の視聴計画をメモリ１５に記憶する。そのため、ユーザは、操作部１４を操作することによって、コンテンツ一覧画面の録画済みコンテンツを視聴計画画面内にドラッグするだけで、録画済みコンテンツについて、所望の日時で視聴する旨の視聴計画をメモリ１５に記憶させることができるので、ユーザにとって操作の手間を軽減できる。また、ユーザは、視聴計画画面を見ながら、コンテンツ一覧画面の録画済みコンテンツについて視聴計画を記憶させることができるため、ユーザが自装置１を使用予定の時間帯（例えば、ＴＶゲームで使用する時間帯）に誤って録画済みコンテンツの視聴をするという視聴予定を登録してしまうという誤操作を防ぐことができ、視聴計画を容易に管理することができる。
【００６８】
また、本実施形態に係るＴＶ受像機１によれば、視聴計画としてＴＶ受像機１の強制電源ＯＦＦや節電時間の予定も登録できるため、ユーザが予め決めた時間以上にＴＶ番組を視聴することを防ぐことができる。
【００６９】
なお、本発明は、上記実施形態の構成に限られず、発明の趣旨を変更しない範囲で種々の変形が可能である。例えば、上記実施形態において、請求項に示す表示装置がＴＶ受像機である例を示したが、これに限られず、視聴計画画面とＥＰＧを表示可能な表示装置であればよい。
【００７０】
また、上記実施形態において、ＴＶ番組やコンテンツの視聴予定の登録を視聴計画画面上で行う例を示したが、視聴計画画面上でユーザがＴＶゲームで遊ぶ予定を登録してもよい。
【００７１】
また、上記実施形態において、視聴計画画面でＴＶ番組やコンテンツの視聴予定を登録する際に、視聴不可予定に記憶されている時間帯には、視聴予定の登録を行えないように制御してもよい。その場合、ユーザがＴＶ番組を視聴しない時間帯に誤ってＴＶ番組の視聴予定を登録してしまうことを防ぐことができるので、利便性がさらに向上する。
【００７２】
また、上記実施形態において、ＥＰＧ画面からＴＶ番組を選択して、視聴計画画面上で視聴予定を登録する際に、このＴＶ番組の放送開始時刻よりも前の時刻には視聴予定を登録できないように制御することが好ましい。その場合、ユーザは、ＴＶ番組の放送開始前における視聴予定を登録してしまうことを防ぐことができるので、利便性がさらに向上する。
【００７３】
また、上記実施形態において、メモリに録画済みコンテンツを視聴する旨の視聴計画が記憶されている場合であって、録画済みコンテンツの視聴予定の日時が経過したときに、制御部が、この録画済みコンテンツのデータを消去するように制御してもよい。その場合、ユーザは、視聴予定の日時が経過した録画済みコンテンツのデータを消去する手間を軽減できるので、利便性が向上する。
【００７４】
また、上記実施形態において、ユーザがＴＶ番組の放送開始時刻後に、このＴＶ番組の視聴を行う旨の視聴予定（視聴計画）を登録した場合、ＴＶ受像機は、このＴＶ番組が放送開始されると自動的にこのＴＶ番組の録画を行い、ユーザによってこのＴＶ番組の視聴が完了したときに、このＴＶ番組の録画データを自動的に消去するように制御してもよい。その場合、ユーザは、ＴＶ番組の録画を指示する操作や、ＴＶ番組の録画データの消去を指示する操作を行う必要がなくなるので、操作の手間を軽減できる。
【００７５】
また、上記実施形態において、他のユーザが既に視聴予定している日時に、ＴＶ番組の視聴予定を登録する場合、他のユーザの携帯電話に許諾を促すメールを送信する例を示したが、これに限られず、他のユーザに許諾を促すメッセージをＴＶ受像機に表示させるものであってもよい。
【００７６】
また、上記実施形態において、ＥＰＧから選択されたＴＶ番組の放送時間に基づいて、視聴計画画面内における視聴計画の初期位置を設定するように制御してもよい。具体的には、ＥＰＧから選択されたＴＶ番組の放送時間を、視聴計画画面内における、そのＴＶ番組の視聴計画の初期位置として設定してもよい。その場合、このＴＶ番組を放送時間に視聴する旨の視聴計画を記憶させる場合に、ユーザは、そのＴＶ番組の視聴計画の位置として放送時間を設定する操作を行う必要がなくなるので、この視聴計画を容易に記憶させることができ、ユーザにとって操作の手間を軽減できる。
【符号の説明】
【００７７】
１  ＴＶ受信機（表示装置）
１０  制御部（表示制御手段、視聴計画設定制御手段、日時算出手段、初期位置設定制御手段、報知手段、消去手段）
１０ｅ  視聴計画画面生成部（視聴計画画面生成手段）
１４  操作部（ドラッグ操作手段）
１５  メモリ（記憶手段）
【図１】
2014116699.tif 000003
【図２】
2014116699.tif 000004
【図３】
2014116699.tif 000005
【図４】
2014116699.tif 000006
【図９】
2014116699.tif 000007
【図１０】
2014116699.tif 000008
【図５】
2014116699.tif 000009
【図６】
2014116699.tif 000010
【図７】
2014116699.tif 000011
【図８】
2014116699.tif 000012